(57)【要約】【課題】誤操作や誤動作に起因する不都合の発生を防止できる入力装置を提供する。【解決手段】インクリメントボタン３１にポインタ３３を位置づけた状態で、マウスボタン４１ａを連続して押し続けると、０．２秒ごとに計器のフルスケールの１％の幅でパラメータの値が増加する。ただし、この操作は、インクリメントボタン３１への操作と並行して、キーボード４２のキー（「Shift」キー）４２ａを同時に押し続けた場合にのみ有効となる。【選択図】図２
2007286825.tif 000002
【特許請求の範囲】
【請求項１】
操作を受け付ける第１の操作部と、前記第１の操作部に対する連続操作に応じて操作対象値の大幅な増減を指示し、前記第１の操作部に対する単発操作に応じて小幅な前記操作対象値の増減を指示する指示部と、を備える入力装置において、
前記第１の操作部とは異なる操作を受け付ける第２の操作部を設け、
前記指示部は、前記第２の操作部が当該操作を受け付けている場合に限り、前記第１の操作部に対する連続操作に応じて前記操作対象値の大幅な増減を指示することを特徴とする入力装置。
【請求項２】
前記第１の操作部はマウスボタンであることを特徴とする請求項１に記載の入力装置。
【請求項３】
前記操作対象値はフィールド機器のパラメータの値であることを特徴とする請求項１または２に記載の入力装置。
【発明の詳細な説明】
【技術分野】
【０００１】
本発明は、連続操作に応じて操作対象値の大幅な増減を指示する入力装置に関する。
【背景技術】
【０００２】
プラントに分散配置されたフィールドコントローラを介して計器（フィールド機器）を制御するフィールド制御システムが知られている。このようなシステムでは、監視装置のモニタ画面上で、フィールド機器の操作出力値や設定値などのパラメータを操作することができる。
【０００３】
図４（ａ）はモニタ画面上に表示されるダイアログを例示する図である。マウス操作により、ダイアログ３０のインクリメントボタン３１にポインタ３３を位置づけた状態で、マウスボタンをクリックすると、１回の操作（クリック）ごとに計器のフルスケールの０．１％の幅でパラメータの値が増加する。また、ダイアログ３０のデクリメントボタン３２にポインタ３３を位置づけた状態で、マウスボタンをクリックすると、１回の操作（クリック）ごとに計器のフルスケールの０．１％の幅でパラメータの値が減少する。
【０００４】
さらに、ダイアログ３０のインクリメントボタン３１にポインタ３３を位置づけた状態で、マウスボタンを連続して押し続けると、０．２秒ごとに計器のフルスケールの１％の幅でパラメータの値が増加する。また、ダイアログ３０のデクリメントボタン３２にポインタ３３を位置づけた状態で、マウスボタンを連続して押し続けると、０．２秒ごとに計器のフルスケールの１％の幅でパラメータの値が減少する。なお、パラメータの値は、ダイアログ３０の領域３４にリアルタイムで表示される。
【０００５】
特許文献１には、操作端に与える操作量をボタン操作により増減する分散形制御装置が記載されている。
【０００６】
【特許文献１】特許第３３２０８３９号公報
【発明の開示】
【発明が解決しようとする課題】
【０００７】
このように、マウスボタンを押し続けることで、計器のパラメータの値を迅速に変化させることができることは、操作上、便利である。しかし、誤操作や誤動作によってパラメータの値の急激な変化が発生しないように配慮する必要がある。
【０００８】
本発明の目的は、誤操作や誤動作に起因する不都合の発生を防止できる入力装置を提供することにある。
【課題を解決するための手段】
【０００９】
本発明の入力装置は、操作を受け付ける第１の操作部と、前記第１の操作部に対する連続操作に応じて操作対象値の大幅な増減を指示し、前記第１の操作部に対する単発操作に応じて小幅な前記操作対象値の増減を指示する指示部と、を備える入力装置において、
前記第１の操作部とは異なる操作を受け付ける第２の操作部を設け、
前記指示部は、前記第２の操作部が当該操作を受け付けている場合に限り、前記第１の操作部に対する連続操作に応じて前記操作対象値の大幅な増減を指示することを特徴とする。
この入力装置によれば、第２の操作部が操作を受け付けている場合に限り、第１の操作部に対する連続操作に応じて操作対象値の大幅な増減を指示するので、第２の操作部への操作停止により、確実に操作対象値の大幅な増減を停止させることができる。
【００１０】
前記第１の操作部はマウスボタンであってもよい。
【００１１】
前記操作対象値はフィールド機器のパラメータの値であってもよい。
【発明の効果】
【００１２】
本発明の入力装置によれば、第２の操作部が操作を受け付けている場合に限り、第１の操作部に対する連続操作に応じて操作対象値の大幅な増減を指示するので、第２の操作部への操作停止により、確実に操作対象値の大幅な増減を停止させることができる。
【発明を実施するための最良の形態】
【００１３】
以下、図１〜図３を参照して、本発明による入力装置の一実施形態について説明する。
【００１４】
図１は本実施形態の入力装置が用いられるフィールド制御システムの構成を示すブロック図である。
【００１５】
図１に示すように、フィールド制御システムは、プラントに設けられた計器（フィールド機器）１，１，・・・１に接続されたフィールドコントローラ２，２，・・・２と、フィールドコントローラ２，２，・・・２を介して計器１，１，・・・１を監視するための監視装置３と、を備える。
【００１６】
監視装置３には本実施形態の入力装置４が接続されており、監視装置３のモニタ画面（図４（ａ））を用いて、操作出力値や設定値などの計器のパラメータの値を変更することができる。
【００１７】
図２は入力装置４に用いられる操作部の構成を示す図である。図２に示すように、入力装置４は、マウス４１と、キーボード４２とを備える。マウス４１と、キーボード４２に対する操作があると、入力装置４の指示部４３は、操作内容に応じた所定の指示を監視装置３に対して出力する。
【００１８】
本実施形態の入力装置４では、マウス４１の操作により、ダイアログ３０（図４（ａ））のインクリメントボタン３１にポインタ３３を位置づけた状態で、マウスボタン４１ａ（図２）をクリックすると（図４（ｂ））、１回の操作（クリック）ごとに計器のフルスケールの０．１％の幅でパラメータの値が増加する。また、ダイアログ３０のデクリメントボタン３２にポインタ３３を位置づけた状態で、マウスボタン４１ａをクリックすると、１回の操作（クリック）ごとに計器のフルスケールの０．１％の幅でパラメータの値が減少する。
【００１９】
さらに、ダイアログ３０のインクリメントボタン３１にポインタ３３を位置づけた状態で、マウスボタン４１ａを連続して押し続けると（図４（ｂ））、０．２秒ごとに計器のフルスケールの１％の幅でパラメータの値が増加する。ただし、この操作は、インクリメントボタン３１への操作と並行して、キーボード４２のキー（「Shift」キー）４２ａ（図２）を同時に押し続けた場合にのみ有効となる。
【００２０】
また、ダイアログ３０のデクリメントボタン３２にポインタ３３を位置づけた状態で、マウスボタン４１ａを連続して押し続けると、０．２秒ごとに計器のフルスケールの１％の幅でパラメータの値が減少する。ただし、この操作は、デクリメントボタン３２への操作と並行して、キーボード４２のキー（「Shift」キー）４２ａを同時に押し続けた場合にのみ有効となる。
【００２１】
すなわち、パラメータの値を急激（大幅）に変化させたい場合には、オペレータはマウスボタン４１ａと、キー４２ａとを同時に押し続ける操作を行う。
【００２２】
図３は、入力装置４の動作を示すフローチャートである。
【００２３】
図３のステップＳ１では、インクリメントボタン３１またはデクリメントボタン３２への操作（マウスボタン４１ａのクリック）が新たに開始されたか否か判断し、判断が肯定されるのを待ってステップＳ２へ進む。
【００２４】
ステップＳ２では、指示部４３は、操作されたボタン（インクリメントボタン３１またはデクリメントボタン３２）に応じて、計器のフルスケールの０．１％の幅でパラメータの値の増加または減少を指示する。
【００２５】
次に、ステップＳ３では、タイマをリセットして計時を開始する。
【００２６】
次に、ステップＳ４では、インクリメントボタン３１またはデクリメントボタン３２への操作（マウスボタン４１ａのクリック）があるか否か判断し、判断が肯定されれば、ステップＳ５へ進み、判断が否定されればステップＳ１へ戻る。
【００２７】
ステップＳ５では、キーボード４２のキー（「Shift」キー）４２ａ（図２）が押し込まれているか否か判断し、判断が肯定されればステップＳ６へ進み、判断が否定されればステップＳ１へ戻る。
【００２８】
ステップＳ６では、タイマの計時が０．２秒を経過しているか否か判断し、判断が肯定されればステップＳ７へ進み、判断が否定されればステップＳ４へ戻る。
【００２９】
ステップＳ７では、指示部４３は、ステップＳ４で操作が認められたボタン（インクリメントボタン３１またはデクリメントボタン３２）に応じて、計器のフルスケールの１％の幅でパラメータの値の増加または減少を指示し、ステップＳ３へ戻る。
【００３０】
このように、本実施形態によれば、インクリメントボタン３１またはデクリメントボタン３２を押し続けている場合、あるいは押し続けていると誤検出した場合（ステップＳ４；ＹＥＳの場合）であっても、キーボード４２のキー（「Shift」キー）４２ａが押し込まれていなければ（ステップＳ５；ＮＯ）、インクリメントボタン３１またはデクリメントボタン３２への継続操作が無効となる（ステップＳ１）。
【００３１】
このため、オペレータはキー４２ａを離すことで、パラメータの値の変化（１％刻みの変化）を確実に停止させることができる。
【００３２】
本実施形態の入力装置によれば、例えば、以下の具体的な問題に対処可能となる。
【００３３】
（１）一般に、マウスボタンが「オン」の状態でマウスのコネクタが抜けると、アプリケーションプログラムがマウスボタン「オフ」を検出できない場合がある。しかし、本実施形態の入力装置４によれば、オペレータはキー４２ａを離すことで、パラメータの値の変化を確実に停止させることができる。
【００３４】
（２）一般に、マウスボタンリリースの瞬間に通信エラー等があると、マウスボタン「ＯＦＦ」をアプリケーションプログラムが検出できない場合がある。しかし、本実施形態の入力装置４によれば、オペレータはキー４２ａを離すことで、パラメータの値の変化を確実に停止させることができる。
【００３５】
（３）その他、何らかの理由でマウスボタン「ＯＦＦ」が検出されない場合や、ハードウェアの故障により、マウスボタン「オン」が認識され続けた場合、あるいは誤操作等によりオペレータの意思に反してマウスボタン「オン」が継続している場合にも、同様の方法で対処できる。
【００３６】
以上のように、本実施形態の入力装置によれば、キー４２ａへの操作が継続されている場合に限り、マウスボタン４１ａへの連続操作に応じて大幅な（１％刻みの）パラメータ値の変更が行われるため、誤動作や誤操作に起因する不都合の発生を確実に防止でき、プラントの安全性を確保できる。
【００３７】
本発明の適用範囲は上記実施形態に限定されることはない。本発明は、連続操作に応じて操作対象値の大幅な増減を指示する入力装置に対し、広く適用することができる。
【図面の簡単な説明】
【００３８】
【図１】本実施形態の入力装置が用いられるフィールド制御システムの構成を示すブロック図。
【図２】入力装置に用いられる操作部の構成を示す図。
【図３】入力装置の動作を示すフローチャート。
【図４】モニタ画面上に表示されるダイアログを例示する図であり、（ａ）はダイアログを例示する図、（ｂ）はインクリメントボタンが操作された状態を示す図。
【符号の説明】
【００３９】
４      入力装置
４１    マウス
４１ａ  マウスボタン（第１の操作部）
４２    キーボード
４２ａ  キー（第２の操作部）
４３    指示部
【図１】
2007286825.tif 000003
【図２】
2007286825.tif 000004
【図３】
2007286825.tif 000005
【図４】
2007286825.tif 000006